(57)【特許請求の範囲】
【請求項１】
光学的に撮影された画像から第１の画像データを得、得られた第１の画像データに所定の処理を施して、プリント画像として出力する第２の画像データを得るに際し、
前記画像から画像表示装置に表示するための第３の画像データを得、
前記画像を撮影した撮影レンズの情報を取得し、
この撮影レンズの情報から撮影レンズのレンズ特性を得た後、
前記プリント画像としてプリント出力するための前記第１の画像データのみならず、前記画像表示装置に表示するための前記第３の画像データにも、得られた前記レンズ特性と前記撮影画像の画素位置情報とを用いて、倍率色収差補正および歪曲収差補正のいずれか少なくとも１つの補正処理をそれぞれ施して、前記第３の画像データから、前記画像表示装置に表示するための、前記補正処理が施された第４の画像データを得るとともに、前記第１の画像データから、前記プリント画像としてプリント出力するための、前記補正処理が施された第５の画像データを得、
前記第４の画像データに基づいて、前記画像表示装置に、前記補正処理によって倍率色収差および歪曲収差の少なくとも１つが補正された補正画像および非撮影画像、または前記補正画像のみを含む矩形画像と、前記プリント画像としてプリント出力されるべき矩形のプリント領域とを、同時に、かつ、前記補正画像および前記プリント領域の少なくとも一方を拡大縮小可能に、表示し、
前記第４の画像データに基づいて前記画像表示装置に表示された前記補正画像および前記矩形のプリント領域の少なくとも一方が拡大または縮小されることにより、前記画像表示装置に表示された前記矩形画像のうち、前記非撮影画像を含まず、画欠けができるだけ少ない補正画像のみが表示されるように設定された前記プリント領域から、このプリント領域内に存在する前記補正画像のみの前記第４の画像データに対応する前記第５の画像データを、前記第２の画像データとして得ることを特徴とする画像処理方法。
【請求項２】
光学的に撮影された画像から第１の画像データを得、得られた第１の画像データに所定の処理を施して、プリント画像として出力する第２の画像データを得るに際し、
前記画像から画像表示装置に表示するための第３の画像データを得、
前記画像を撮影した撮影レンズの情報を取得し、
この撮影レンズの情報から撮影レンズのレンズ特性を得た後、
前記プリント画像としてプリント出力するための前記第１の画像データのみならず、前記画像表示装置に表示するための前記第３の画像データにも、得られた前記レンズ特性と前記撮影画像の画素位置情報とを用いて、倍率色収差補正および歪曲収差補正のいずれか少なくとも１つの補正処理をそれぞれ施して、前記第３の画像データから、前記画像表示装置に表示するための、前記補正処理が施された第４の画像データを得るとともに、前記第１の画像データから、前記プリント画像としてプリント出力するための、前記補正処理が施された第５の画像データを得、
前記第４の画像データに基づいて、前記画像表示装置に、前記補正処理によって倍率色収差および歪曲収差の少なくとも１つが補正された補正画像および非撮影画像、または前記補正画像のみを含む画像のうち、前記プリント画像としてプリント出力されるべき矩形のプリント領域と一致する矩形領域内のみの画像を、拡大縮小可能に、表示し、
前記第４の画像データに基づいて前記画像表示装置に表示された前記矩形領域内の前記補正画像が拡大または縮小されることにより、前記画像表示装置に表示された前記矩形領域内の画像が、前記非撮影画像を含まず、画欠けができるだけ少ない補正画像のみとなるように設定されたときに、前記矩形のプリント領域と一致する前記矩形領域内に存在する前記補正画像のみの前記第４の画像データに対応する第５の画像データを、前記プリント画像としてプリント出力するための第２の画像データとして得ることを特徴とする画像処理方法。
【請求項３】
光学的に撮影された画像から第１の画像データを得、得られた第１の画像データに所定の処理を施して、プリント画像として出力する第２の画像データを得るに際し、
前記画像から画像表示装置に表示するための第３の画像データを得、
前記画像を撮影した撮影レンズの情報を取得し、
この撮影レンズの情報から撮影レンズのレンズ特性を得た後、
前記プリント画像としてプリント出力するための前記第１の画像データのみならず、前記画像表示装置に表示するための前記第３の画像データにも、得られた前記レンズ特性と前記撮影画像の画素位置情報とを用いて、倍率色収差補正および歪曲収差補正のいずれか少なくとも１つの補正処理をそれぞれ施して、前記第３の画像データから、前記画像表示装置に表示するための、前記補正処理が施された第４の画像データを得るとともに、前記第１の画像データから、前記プリント画像としてプリント出力するための、前記補正処理が施された第５の画像データを得、
前記画像表示装置に、前記第３の画像データに基づく、前記補正処理が施される前の矩形画像と、前記第４の画像データに基づいて前記補正処理によって倍率色収差補正および歪曲収差補正のいずれか少なくとも１つの補正処理が施された補正画像および非撮影画像、または前記補正画像のみに基づいて設定された前記プリント画像としてプリント出力されるべき矩形の第１のプリント領域を、前記第３の画像データに基づいて前記補正処理が施される前に変換して得られた第２のプリント領域とを、同時に、かつ、前記矩形画像および前記第２のプリント領域の少なくとも一方を拡大縮小可能に、表示し、
前記第３の画像データに基づいて前記画像表示装置に表示された、共に前記補正処理が施される前の前記矩形画像および前記第２のプリント領域の少なくとも一方が拡大または縮小されることにより、前記画像表示装置に表示された前記矩形画像のうち、前記補正処理が施された後に前記非撮影画像を含まず、画欠けができるだけ少ない補正画像のみが表示されるように設定される前記第２のプリント領域から、この第２のプリント領域内に存在する画像の前記第３の画像データに前記補正処理をして得られた前記矩形の第１のプリント領域内に存在する前記補正画像のみの前記第４の画像データに対応する前記第５の画像データを、前記第２の画像データとして得ることを特徴とする画像処理方法。
【請求項４】
光学的に撮影された第１の画像から第１の画像データを得、得られた第１の画像データに所定の処理を施して、プリント画像として出力する第２の画像データを得るに際し、
前記第１の画像から画像表示装置に表示するための第３の画像データを得、
前記第１の画像を撮影した撮影レンズの情報を取得し、
この撮影レンズの情報から撮影レンズのレンズ特性を得た後、
前記プリント画像としてプリント出力するための前記第１の画像データのみならず、前記画像表示装置に表示するための前記第３の画像データにも、得られた前記レンズ特性と前記撮影画像の画素位置情報とを用いて、倍率色収差補正および歪曲収差補正のいずれか少なくとも１つの補正処理をそれぞれ施して、前記第３の画像データから、前記画像表示装置に表示するための、前記補正処理が施された第４の画像データを得るとともに、前記第１の画像データから、前記プリント画像としてプリント出力するための、前記補正処理が施された第５の画像データを得、
前記第３の画像データに基づいて前記補正処理が施される前の第２の画像のうち、前記第４の画像データに基づいて前記補正処理によって倍率色収差補正および歪曲収差補正のいずれか少なくとも１つの補正処理が施された補正画像および非撮影画像、または前記補正画像のみに基づいて設定された前記プリント画像としてプリント出力されるべき矩形の第１のプリント領域を、前記第３の画像データに基づいて前記補正処理が施される前に変換して得られた第２のプリント領域内のみの第２の画像を、拡大縮小可能に、前記画像表示装置に表示し、
前記第３の画像データに基づいて前記画像表示装置に表示された前記第２のプリント領域内の前記第２の画像が拡大または縮小されることにより、前記画像表示装置に表示された前記第２のプリント領域内の前記補正処理が施される前の前記第２の画像が、前記補正処理が施された後に前記非撮影画像を含まず、画欠けができるだけ少ない補正画像のみとなるように設定されたときに、前記第２のプリント領域内に存在する画像の前記第３の画像データに前記補正処理をして得られた前記矩形の第１のプリント領域内に存在する前記補正画像のみの前記第４の画像データに対応する前記第５の画像データを、前記第２の画像データとして得ることを特徴とする画像処理方法。
【請求項５】
前記非撮影画像を含まず、画欠けができるだけ少ない補正画像は、前記非撮影画像を含まない最大の補正画像である請求項１〜４のいずれかに記載の画像処理方法。
【請求項６】
光学的に撮影された画像から画像表示装置に表示するための第３の画像データを得、得られた第３の画像データに基づいて前記画像表示装置に検定用画像として前記撮影画像を表示するとともに、前記撮影画像から第１の画像データを得、得られた第１の画像データに所定の画像処理を施し、プリント画像としてプリント出力する第２の画像データを得る画像処理装置であって、
前記撮影画像を撮影した撮影レンズの情報を取得する取得手段と、
前記撮影レンズの情報に応じて、前記撮影レンズのレンズ特性を記憶する記憶手段と、
前記取得手段が取得した前記撮影レンズの情報に応じて前記記憶手段から対応する前記撮影レンズのレンズ特性を受け取り、前記プリント画像としてプリント出力するための前記第１の画像データのみならず、前記画像表示装置に表示するための前記第３の画像データにも、前記撮影画像の画素位置情報と得られた前記撮影レンズのレンズ特性とから前記撮影画像の倍率色収差および歪曲収差の少なくとも一つの収差をそれぞれ補正して、前記第３の画像データから、前記画像表示装置に表示するための、前記収差が補正された第４の画像データを得るとともに、前記第１の画像データから、前記プリント画像としてプリント出力するための、前記収差が補正された第５の画像データを得る補正手段とを有し、
前記補正手段によって前記第１の画像データを補正して得られたプリント画像出力用の前記第２の画像データを出力するに先立って、前記補正手段によって補正された前記第４の画像データに基づいて、前記補正手段によって前記収差が補正された補正画像および非撮影画像、または前記補正画像のみを含む矩形画像と、前記プリント画像としてプリント出力されるべき矩形のプリント領域とを、同時に、かつ、前記補正画像および前記プリント領域の少なくとも一方を拡大縮小可能に、前記画像表示装置に表示し、
前記第４の画像データに基づいて前記画像表示装置に表示された前記補正画像および前記矩形のプリント領域の少なくとも一方が拡大または縮小されることにより、前記画像表示装置に表示された前記矩形画像のうち、前記非撮影画像を含まず、画欠けができるだけ少ない補正画像のみが表示されるように設定された前記プリント領域から、このプリント領域内に存在する前記補正画像のみの前記第４の画像データに対応する前記第５の画像データを、前記第２の画像データとして得ることを特徴とする画像処理装置。
【請求項７】
光学的に撮影された画像から画像表示装置に表示するための第３の画像データを得、得られた第３の画像データに基づいて前記画像表示装置に検定用画像として前記撮影画像を表示するとともに、前記撮影画像から第１の画像データを得、得られた第１の画像データに所定の画像処理を施し、プリント画像としてプリント出力する第２の画像データを得る画像処理装置であって、
前記撮影画像を撮影した撮影レンズの情報を取得する取得手段と、
前記撮影レンズの情報に応じて、前記撮影レンズのレンズ特性を記憶する記憶手段と、
前記取得手段が取得した前記撮影レンズの情報に応じて前記記憶手段から対応する前記撮影レンズのレンズ特性を受け取り、前記プリント画像としてプリント出力するための前記第１の画像データのみならず、前記画像表示装置に表示するための前記第３の画像データにも、前記撮影画像の画素位置情報と得られた前記撮影レンズのレンズ特性とから前記撮影画像の倍率色収差および歪曲収差の少なくとも一つの収差をそれぞれ補正して、前記第３の画像データから、前記画像表示装置に表示するための、前記収差が補正された第４の画像データを得るとともに、前記第１の画像データから、前記プリント画像としてプリント出力するための、前記収差が補正された第５の画像データを得る補正手段とを有し、
前記補正手段によって前記第１の画像データを補正して得られたプリント画像出力用の前記第２の画像データを出力するに先立って、前記補正手段によって補正された前記第４の画像データに基づいて、前記補正手段によって前記収差が補正された補正画像および非撮影画像、または前記補正画像のみを含む画像のうち、前記プリント画像としてプリント出力されるべき矩形のプリント領域と一致する矩形領域内のみの画像を、拡大縮小可能に、前記画像表示装置に表示し、
前記第４の画像データに基づいて前記画像表示装置に表示された前記矩形領域内の前記補正画像が拡大または縮小されることにより、前記画像表示装置に表示された前記矩形領域内の画像が、前記非撮影画像を含まず、画欠けができるだけ少ない補正画像のみとなるように設定されたときに、前記矩形のプリント領域と一致する前記矩形領域内に存在する前記補正画像のみの前記第４の画像データに対応する第５の画像データを、前記プリント画像としてプリント出力するための第２の画像データとして得ることを特徴とする画像処理装置。
【請求項８】
光学的に撮影された画像から画像表示装置に表示するための第３の画像データを得、得られた第３の画像データに基づいて前記画像表示装置に検定用画像として前記撮影画像を表示するとともに、前記撮影画像から第１の画像データを得、得られた第１の画像データに所定の画像処理を施し、プリント画像としてプリント出力する第２の画像データを得る画像処理装置であって、
前記撮影画像を撮影した撮影レンズの情報を取得する取得手段と、
前記撮影レンズの情報に応じて、前記撮影レンズのレンズ特性を記憶する記憶手段と、
前記取得手段が取得した前記撮影レンズの情報に応じて前記記憶手段から対応する前記撮影レンズのレンズ特性を受け取り、前記プリント画像としてプリント出力するための前記第１の画像データのみならず、前記画像表示装置に表示するための前記第３の画像データにも、前記撮影画像の画素位置情報と得られた前記撮影レンズのレンズ特性とから前記撮影画像の倍率色収差および歪曲収差の少なくとも一つの収差をそれぞれ補正して、前記第３の画像データから、前記画像表示装置に表示するための、前記収差が補正された第４の画像データを得るとともに、前記第１の画像データから、前記プリント画像としてプリント出力するための、前記収差が補正された第５の画像データを得る補正手段とを有し、
前記補正手段によって前記第１の画像データを補正して得られたプリント画像出力用の前記第２の画像データを出力するに先立って、前記第３の画像データに基づく前記補正手段による補正の前の矩形画像と、前記補正手段によって補正された前記第４の画像データに基づいて前記収差が補正された補正画像および非撮影画像、または前記補正画像のみに基づいて設定された前記プリント画像としてプリント出力されるべき矩形の第１のプリント領域を、前記第３の画像データに基づいて前記収差が補正される前に変換して得られた第２のプリント領域とを、同時に、かつ、前記矩形画像および前記第２のプリント領域の少なくとも一方を拡大縮小可能に、前記画像表示装置に表示し、
前記第３の画像データに基づいて前記画像表示装置に表示された、共に前記補正処理が施される前の前記矩形画像および前記第２のプリント領域の少なくとも一方が拡大または縮小されることにより、前記画像表示装置に表示された前記矩形画像のうち、前記補正処理が施された後に前記非撮影画像を含まず、画欠けができるだけ少ない補正画像のみが表示されるように設定される前記第２のプリント領域から、この第２のプリント領域内に存在する画像の前記第３の画像データに前記補正処理をして得られた前記矩形の第１のプリント領域内に存在する前記補正画像のみの前記第４の画像データに対応する前記第５の画像データを、前記第２の画像データとして得ることを特徴とする画像処理装置。
【請求項９】
光学的に撮影された第１の画像から画像表示装置に表示するための第３の画像データを得、得られた第３の画像データに基づいて前記画像表示装置に検定用画像として前記第１の画像を表示するとともに、前記撮影画像から第１の画像データを得、得られた第１の画像データに所定の画像処理を施し、プリント画像としてプリント出力する第２の画像データを得る画像処理装置であって、
前記第１の画像を撮影した撮影レンズの情報を取得する取得手段と、
前記撮影レンズの情報に応じて、前記撮影レンズのレンズ特性を記憶する記憶手段と、
前記取得手段が取得した前記撮影レンズの情報に応じて前記記憶手段から対応する前記撮影レンズのレンズ特性を受け取り、前記プリント画像としてプリント出力するための前記第１の画像データのみならず、前記画像表示装置に表示するための前記第３の画像データにも、前記第１の画像の画素位置情報と得られた前記撮影レンズのレンズ特性とから前記第１の画像の倍率色収差および歪曲収差の少なくとも一つの収差をそれぞれ補正して、前記第３の画像データから、前記画像表示装置に表示するための、前記収差が補正された第４の画像データを得るとともに、前記第１の画像データから、前記プリント画像としてプリント出力するための、前記収差が補正された第５の画像データを得る補正手段とを有し、
前記補正手段によって前記第１の画像データを補正して得られたプリント画像出力用の前記第２の画像データを出力するに先立って、前記第３の画像データに基づく前記補正手段による補正の前の第２の画像のうち、前記第４の画像データに基づいて前記補正手段によって前記収差が補正された補正画像および非撮影画像、または前記補正画像のみに基づいて設定された前記プリント画像としてプリント出力されるべき矩形の第１のプリント領域を、前記第３の画像データに基づいて前記収差が補正される前に変換して得られた第２のプリント領域内のみの前記第２の画像を、拡大縮小可能に、前記画像表示装置に表示し、
前記第３の画像データに基づいて前記画像表示装置に表示された前記第２のプリント領域内の前記第２の画像が拡大または縮小されることにより、前記画像表示装置に表示された前記第２のプリント領域内の前記補正処理が施される前の前記第２の画像が、前記補正処理が施された後に前記非撮影画像を含まず、画欠けができるだけ少ない補正画像のみとなるように設定されたときに、前記第２のプリント領域内に存在する画像の前記第３の画像データに前記補正処理をして得られた前記矩形の第１のプリント領域内に存在する前記補正画像のみの前記第４の画像データに対応する前記第５の画像データを、前記第２の画像データとして得ることを特徴とする画像処理装置。
【請求項１０】
前記非撮影画像を含まず、画欠けができるだけ少ない補正画像は、前記非撮影画像を含まない最大の補正画像である請求項６〜９のいずれかに記載の画像処理装置。
【請求項１１】
前記第２の画像データを得るために前記第１の画像データに施される前記補正処理は、
前記画像を撮影したレンズの特性と、前記画像の位置情報とから、前記倍率色収差および歪曲収差の少なくとも一つを補正した画像位置を算出し、
前記倍率色収差および歪曲収差の少なくとも一つが補正された前記画像位置を用いて電子変倍処理を行うことにより、前記倍率色収差および歪曲収差の少なくとも一つの補正のための補間演算処理と前記電子変倍処理のための補間演算処理とを一回の補間演算処理で行うものであることを特徴とする請求項１〜５のいずれかに記載の画像処理方法。
【請求項１２】
前記補正手段は、前記画像の位置情報と前記レンズ特性とから、前記画像の倍率色収差および歪曲収差の少なくとも一つを補正した画像位置を算出し、前記倍率色収差および歪曲収差の少なくとも一つを補正した画像位置を用いて電子変倍処理を行うことにより、前記倍率色収差および歪曲収差の少なくとも一つの補正のための補間演算処理と前記電子変倍処理のための補間演算処理とを一回の補間演算処理で行うことを特徴とする請求項６〜１０のいずれかに記載の画像処理装置。
【発明の詳細な説明】
【０００１】
【発明の属する技術分野】
本発明はフィルムに撮影された画像を光電的に読み取り、この画像が再現されたプリント（写真）を得るデジタルフォトプリンタ等においてレンズ付フィルムや安価なコンパクトカメラ等で撮影された画像で発生する倍率色収差や歪曲収差を補正する画像処理方法および画像処理装置の技術分野に属する。
【０００２】
【従来の技術】
現在、ネガフィルム、リバーサルフィルム等の写真フィルム（以下フィルムとする）に撮影された画像の感光材料（印画紙）への焼き付けは、フィルムの画像を感光材料に投影して感光材料を面露光する、いわゆる直接露光（アナログ露光）によって行われている。
【０００３】
これに対し、近年ではデジタル露光を利用する焼付装置、すなわちフィルムに記録された画像を光学的に読み取って、読み取った画像をデジタル信号とした後種々の画像処理を施して記録用の画像データとし、この画像データに応じて変調した記録光によって感光材料を走査露光して画像（潜像）を記録し、（仕上り）プリントとするデジタルフォトプリンタが実用化された。
【０００４】
デジタルフォトプリンタでは、画像をデジタルの画像データとして、画像データ処理によって焼付時の露光条件を決定することができるので、逆光やストロボ撮影等に起因する画像の飛びやツブレの補正、シャープネス（鮮鋭化）処理、周辺光量不足の補正等を好適に行って、従来の直接露光では得られなかった高品位なプリントを得ることができる。しかも複数画像の合成や画像分割、更には文字の合成等も画像データ処理によって行うことができ、用途に応じて自由に編集／処理したプリントも出力可能である。しかも、デジタルフォトプリンタによれば、画像をプリント（写真）として出力するのみならず、画像データをコンピュータ等に供給したり、フロッピーディスク等の記録媒体に保存しておくこともできるので、画像データを、写真以外の様々な用途に利用することができる。
【０００５】
この様なデジタルフォトプリンタは、基本的に、フィルムに記録された画像を光電的に読み取るスキャナ（画像読取装置）、読み取った画像を画像処理して記録用の画像データ（露光条件）とする画像処理装置、及びこの画像データに応じて感光材料を走査露光して現像処理を施してプリントするプリンタ（画像記録装置）より構成される。
【０００６】
スキャナでは光源から射出された読取光をフィルムに入射して、フィルムに撮影された画像を担持する投影光を得て、この投影光を結像レンズによってＣＣＤセンサ等のイメージセンサに結像して光電変換することにより画像を読み取り、必要に応じて各種の画像処理を施した後に、フィルムの画像データ（画像データ信号）として画像処理装置に送る。
画像処理装置はスキャナによって読み取られた画像データから画像処理条件を設定して、設定した条件に応じた画像処理を画像データに施し、画像記録の為の出力画像データ（露光条件）としてプリンタに送る。
プリンタでは、例えば光ビーム走査露光を利用する装置であれば、画像処理装置から送られた画像データに応じて光ビームを変調して感光材料を二次的に走査露光（焼付け）して、潜像を形成させ、次いで所定の現像処理等を施してフィルムに撮影された画像が再生されたプリント（写真）とする。
【０００７】
【発明が解決しようとする課題】
ところで、プリントに再生された画像の画質劣化の原因として、画像を撮影したカメラに装着されるレンズの性能に起因する倍率色収差および歪曲収差が挙げられる。
カラー画像は、赤（Ｒ）、緑（Ｇ）および青（Ｂ）の３原色によって形成されるが、レンズの屈折率（結像倍率）は波長によって微妙に異なるため、Ｒ、ＧおよびＢの光の結像倍率が異り、すなわち倍率色収差が生じる。その結果、フィルムに撮影された画像を再生すると、得られた画像に色ずれが生じてしまう。
また、良好な撮影画像を得るためには、光軸に対して垂直な平面は、結像面でそれに対応して結像される必要があるが、通常のレンズでは、結像位置が光軸方向にズレを生じ、結像画像に歪（ディストーション）すなわち歪曲収差を生じる。そのため、フィルムに撮影された画像を再生すると、得られた画像が歪んだものとなってしまう。
【０００８】
一眼レフ等の様にある程度のコストを掛けられるカメラであれば、精度の高いレンズを用い、さらに複数枚のレンズを組み合わせることにより、倍率色収差や歪曲収差等の各種の収差を補正してフィルムに適正画像を撮影することができる。しかしながら、レンズ付フィルムやコンパクトカメラ等ではレンズにコストを掛けることができないため、フィルムに撮影された画像に倍率色収差、歪曲収差が生じてしまう。その結果、プリントとして再生された画像が歪を有するものとなってしまう。
【０００９】
このように倍率色収差や歪曲収差などの収差のあるフィルム画像を図７に示す従来のデジタルフォトプリンタで仕上がりプリントとして出力する場合、スキャナでフィルム画像をスキャンして高解像度のファインスキャン画像データとして読み取り、得られたファインスキャン画像データに画像処理装置で所定の画像処理やセットアップを施した後に、画像表示することなく、プリンタで仕上がりプリントとして出力しているため、上述した収差が補正されておらず、再生されたプリント画像が色ずれや歪を有するものとなってしまうという問題があった。
また、図７に示す従来のフォトプリンタでは、プリント出力するに先立って、フィルム画像をスキャナでプレスキャンして低解像度のプレスキャン画像データを得、そのままモニタ（画像表示装置）に表示し、あるいは、始めからファインスキャンして高解像度のファインスキャン画像データを得、得られた画像データを間引き、または縮小してモニタ表示しているが、いずれの場合も画像データの倍率色収差や歪曲収差などの収差を補正していないので、モニタ表示画像にも色ずれや歪が生じてしまうという問題がある。
【００１０】
そこで、ユーザがモニタ表示画像の色ずれや歪を検定し、倍率色収差や歪曲収差の補正を行うことも考えられるが、これらの収差をモニタ表示画像から的確に検定し、画像データに適切な補正をかけることは、熟練したユーザでも極めて困難であるし、また仮にうまく収差補正ができたとしても、収差補正された画像に後述するいわゆるケラレが発生するため、収差補正によるケラレの範囲を正確に検定することも極めて困難であり、適切に収差が補正されかつ適切なプリントエリアが再生されたプリントを得るために、補正量を少しずつ変えてプリント出力を繰り返すのは極めて面倒であるばかりか、プリントコストを高騰させるという問題があった。
【００１１】
発明の目的は、上記従来技術の問題点を解消し、レンズ付フィルム等の安価なカメラで撮影された画像であっても、画像処理によって歪曲収差、倍率色収差を補正した歪や色ずれのない画像を画像表示装置に表示するとともに、プリントエリアも同時に表示し、また、プリントエリアと一致する収差補正領域のみを表示し、画像表示装置上で収差補正によるケラレの範囲を明確にし、表示プリントエリア内の表示画像と一致する、また、プリントエリアのみが表示された表示画像と一致する倍率色収差や歪曲収差などの補正処理を行ったプリント画像を再生することのできる画像処理装置を提供することにある。
【００１２】
【課題を解決するための手段】
上記目的を達成するために、本発明の第１の態様は、光学的に撮影された画像から第１の画像データを得、得られた第１の画像データに所定の処理を施して、プリント画像として出力する第２の画像データを得るに際し、
前記画像から画像表示装置に表示するための第３の画像データを得、
前記画像を撮影した撮影レンズの情報を取得し、
この撮影レンズの情報から撮影レンズのレンズ特性を得た後、
前記プリント画像としてプリント出力するための前記第１の画像データのみならず、前記画像表示装置に表示するための前記第３の画像データにも、得られた前記レンズ特性と前記撮影画像の画素位置情報とを用いて、倍率色収差補正および歪曲収差補正のいずれか少なくとも１つの補正処理をそれぞれ施して、前記第３の画像データから、前記画像表示装置に表示するための、前記補正処理が施された第４の画像データを得るとともに、前記第１の画像データから、前記プリント画像としてプリント出力するための、前記補正処理が施された第５の画像データを得、
前記第４の画像データに基づいて、前記画像表示装置に、前記補正処理によって倍率色収差および歪曲収差の少なくとも１つが補正された補正画像および非撮影画像、または前記補正画像のみを含む矩形画像と、前記プリント画像としてプリント出力されるべき矩形のプリント領域とを、同時に、かつ、前記補正画像および前記プリント領域の少なくとも一方を拡大縮小可能に、表示し、
前記第４の画像データに基づいて前記画像表示装置に表示された前記補正画像および前記矩形のプリント領域の少なくとも一方が拡大または縮小されることにより、前記画像表示装置に表示された前記矩形画像のうち、前記非撮影画像を含まず、画欠けができるだけ少ない補正画像のみが表示されるように設定された前記プリント領域から、このプリント領域内に存在する前記補正画像のみの前記第４の画像データに対応する前記第５の画像データを、前記第２の画像データとして得ることを特徴とする画像処理方法を提供するものである。
また、本発明は、光学的に撮影された画像から第１の画像データを得、得られた第１の画像データに所定の処理を施して、プリント画像として出力する第２の画像データを得るに際し、
前記画像から画像表示装置に表示するための第３の画像データを得、
前記画像を撮影した撮影レンズの情報を取得し、
この撮影レンズの情報から撮影レンズのレンズ特性を得た後、
前記プリント画像としてプリント出力するための前記第１の画像データのみならず、前記画像表示装置に表示するための前記第３の画像データにも、得られた前記レンズ特性と前記撮影画像の画素位置情報とを用いて、倍率色収差補正および歪曲収差補正のいずれか少なくとも１つの補正処理をそれぞれ施して、前記第３の画像データから、前記画像表示装置に表示するための、前記補正処理が施された第４の画像データを得るとともに、前記第１の画像データから、前記プリント画像としてプリント出力するための、前記補正処理が施された第５の画像データを得、
前記第４の画像データに基づいて、前記画像表示装置に、前記補正処理によって倍率色収差および歪曲収差の少なくとも１つが補正された補正画像および非撮影画像、または前記補正画像のみを含む画像のうち、前記プリント画像としてプリント出力されるべき矩形のプリント領域と一致する矩形領域内のみの画像を、拡大縮小可能に、表示し、
前記第４の画像データに基づいて前記画像表示装置に表示された前記矩形領域内の前記補正画像が拡大または縮小されることにより、前記画像表示装置に表示された前記矩形領域内の画像が、前記非撮影画像を含まず、画欠けができるだけ少ない補正画像のみとなるように設定されたときに、前記矩形のプリント領域と一致する前記矩形領域内に存在する前記補正画像のみの前記第４の画像データに対応する第５の画像データを、前記プリント画像としてプリント出力するための第２の画像データとして得ることを特徴とする画像処理方法を提供するものである。
また、本発明は、光学的に撮影された画像から第１の画像データを得、得られた第１の画像データに所定の処理を施して、プリント画像として出力する第２の画像データを得るに際し、
前記画像から画像表示装置に表示するための第３の画像データを得、
前記画像を撮影した撮影レンズの情報を取得し、
この撮影レンズの情報から撮影レンズのレンズ特性を得た後、
前記プリント画像としてプリント出力するための前記第１の画像データのみならず、前記画像表示装置に表示するための前記第３の画像データにも、得られた前記レンズ特性と前記撮影画像の画素位置情報とを用いて、倍率色収差補正および歪曲収差補正のいずれか少なくとも１つの補正処理をそれぞれ施して、前記第３の画像データから、前記画像表示装置に表示するための、前記補正処理が施された第４の画像データを得るとともに、前記第１の画像データから、前記プリント画像としてプリント出力するための、前記補正処理が施された第５の画像データを得、
前記画像表示装置に、前記第３の画像データに基づく、前記補正処理が施される前の矩形画像と、前記第４の画像データに基づいて前記補正処理によって倍率色収差補正および歪曲収差補正のいずれか少なくとも１つの補正処理が施された補正画像および非撮影画像、または前記補正画像のみに基づいて設定された前記プリント画像としてプリント出力されるべき矩形の第１のプリント領域を、前記第３の画像データに基づいて前記補正処理が施される前に変換して得られた第２のプリント領域とを、同時に、かつ、前記矩形画像および前記第２のプリント領域の少なくとも一方を拡大縮小可能に、表示し、
前記第３の画像データに基づいて前記画像表示装置に表示された、共に前記補正処理が施される前の前記矩形画像および前記第２のプリント領域の少なくとも一方が拡大または縮小されることにより、前記画像表示装置に表示された前記矩形画像のうち、前記補正処理が施された後に前記非撮影画像を含まず、画欠けができるだけ少ない補正画像のみが表示されるように設定される前記第２のプリント領域から、この第２のプリント領域内に存在する画像の前記第３の画像データに前記補正処理をして得られた前記矩形の第１のプリント領域内に存在する前記補正画像のみの前記第４の画像データに対応する前記第５の画像データを、前記第２の画像データとして得ることを特徴とする画像処理方法を提供するものである。
さらに、本発明は、光学的に撮影された第１の画像から第１の画像データを得、得られた第１の画像データに所定の処理を施して、プリント画像として出力する第２の画像データを得るに際し、
前記第１の画像から画像表示装置に表示するための第３の画像データを得、
前記第１の画像を撮影した撮影レンズの情報を取得し、
この撮影レンズの情報から撮影レンズのレンズ特性を得た後、
前記プリント画像としてプリント出力するための前記第１の画像データのみならず、前記画像表示装置に表示するための前記第３の画像データにも、得られた前記レンズ特性と前記撮影画像の画素位置情報とを用いて、倍率色収差補正および歪曲収差補正のいずれか少なくとも１つの補正処理をそれぞれ施して、前記第３の画像データから、前記画像表示装置に表示するための、前記補正処理が施された第４の画像データを得るとともに、前記第１の画像データから、前記プリント画像としてプリント出力するための、前記補正処理が施された第５の画像データを得、
前記第３の画像データに基づいて前記補正処理が施される前の第２の画像のうち、前記第４の画像データに基づいて前記補正処理によって倍率色収差補正および歪曲収差補正のいずれか少なくとも１つの補正処理が施された補正画像および非撮影画像、または前記補正画像のみに基づいて設定された前記プリント画像としてプリント出力されるべき矩形の第１のプリント領域を、前記第３の画像データに基づいて前記補正処理が施される前に変換して得られた第２のプリント領域内のみの第２の画像を、拡大縮小可能に、前記画像表示装置に表示し、
前記第３の画像データに基づいて前記画像表示装置に表示された前記第２のプリント領域内の前記第２の画像が拡大または縮小されることにより、前記画像表示装置に表示された前記第２のプリント領域内の前記補正処理が施される前の前記第２の画像が、前記補正処理が施された後に前記非撮影画像を含まず、画欠けができるだけ少ない補正画像のみとなるように設定されたときに、前記第２のプリント領域内に存在する画像の前記第３の画像データに前記補正処理をして得られた前記矩形の第１のプリント領域内に存在する前記補正画像のみの前記第４の画像データに対応する前記第５の画像データを、前記第２の画像データとして得ることを特徴とする画像処理方法を提供するものである。
ここで、上記のいずれかの画像処理方法において、前記非撮影画像を含まず、画欠けができるだけ少ない補正画像は、前記非撮影画像を含まない最大の補正画像であるのが好ましい。
【００１３】
また、本発明の第２の態様は、光学的に撮影された画像から画像表示装置に表示するための第３の画像データを得、得られた第３の画像データに基づいて前記画像表示装置に検定用画像として前記撮影画像を表示するとともに、前記撮影画像から第１の画像データを得、得られた第１の画像データに所定の画像処理を施し、プリント画像としてプリント出力する第２の画像データを得る画像処理装置であって、
前記撮影画像を撮影した撮影レンズの情報を取得する取得手段と、
前記撮影レンズの情報に応じて、前記撮影レンズのレンズ特性を記憶する記憶手段と、
前記取得手段が取得した前記撮影レンズの情報に応じて前記記憶手段から対応する前記撮影レンズのレンズ特性を受け取り、前記プリント画像としてプリント出力するための前記第１の画像データのみならず、前記画像表示装置に表示するための前記第３の画像データにも、前記撮影画像の画素位置情報と得られた前記撮影レンズのレンズ特性とから前記撮影画像の倍率色収差および歪曲収差の少なくとも一つの収差をそれぞれ補正して、前記第３の画像データから、前記画像表示装置に表示するための、前記収差が補正された第４の画像データを得るとともに、前記第１の画像データから、前記プリント画像としてプリント出力するための、前記収差が補正された第５の画像データを得る補正手段とを有し、
前記補正手段によって前記第１の画像データを補正して得られたプリント画像出力用の前記第２の画像データを出力するに先立って、前記補正手段によって補正された前記第４の画像データに基づいて、前記補正手段によって前記収差が補正された補正画像および非撮影画像、または前記補正画像のみを含む矩形画像と、前記プリント画像としてプリント出力されるべき矩形のプリント領域とを、同時に、かつ、前記補正画像および前記プリント領域の少なくとも一方を拡大縮小可能に、前記画像表示装置に表示し、
前記第４の画像データに基づいて前記画像表示装置に表示された前記補正画像および前記矩形のプリント領域の少なくとも一方が拡大または縮小されることにより、前記画像表示装置に表示された前記矩形画像のうち、前記非撮影画像を含まず、画欠けができるだけ少ない補正画像のみが表示されるように設定された前記プリント領域から、このプリント領域内に存在する前記補正画像のみの前記第４の画像データに対応する前記第５の画像データを、前記第２の画像データとして得ることを特徴とする画像処理装置を提供するものである。
また、本発明は、光学的に撮影された画像から画像表示装置に表示するための第３の画像データを得、得られた第３の画像データに基づいて前記画像表示装置に検定用画像として前記撮影画像を表示するとともに、前記撮影画像から第１の画像データを得、得られた第１の画像データに所定の画像処理を施し、プリント画像としてプリント出力する第２の画像データを得る画像処理装置であって、
前記撮影画像を撮影した撮影レンズの情報を取得する取得手段と、
前記撮影レンズの情報に応じて、前記撮影レンズのレンズ特性を記憶する記憶手段と、
前記取得手段が取得した前記撮影レンズの情報に応じて前記記憶手段から対応する前記撮影レンズのレンズ特性を受け取り、前記プリント画像としてプリント出力するための前記第１の画像データのみならず、前記画像表示装置に表示するための前記第３の画像データにも、前記撮影画像の画素位置情報と得られた前記撮影レンズのレンズ特性とから前記撮影画像の倍率色収差および歪曲収差の少なくとも一つの収差をそれぞれ補正して、前記第３の画像データから、前記画像表示装置に表示するための、前記収差が補正された第４の画像データを得るとともに、前記第１の画像データから、前記プリント画像としてプリント出力するための、前記収差が補正された第５の画像データを得る補正手段とを有し、
前記補正手段によって前記第１の画像データを補正して得られたプリント画像出力用の前記第２の画像データを出力するに先立って、前記補正手段によって補正された前記第４の画像データに基づいて、前記補正手段によって前記収差が補正された補正画像および非撮影画像、または前記補正画像のみを含む画像のうち、前記プリント画像としてプリント出力されるべき矩形のプリント領域と一致する矩形領域内のみの画像を、拡大縮小可能に、前記画像表示装置に表示し、
前記第４の画像データに基づいて前記画像表示装置に表示された前記矩形領域内の前記補正画像が拡大または縮小されることにより、前記画像表示装置に表示された前記矩形領域内の画像が、前記非撮影画像を含まず、画欠けができるだけ少ない補正画像のみとなるように設定されたときに、前記矩形のプリント領域と一致する前記矩形領域内に存在する前記補正画像のみの前記第４の画像データに対応する第５の画像データを、前記プリント画像としてプリント出力するための第２の画像データとして得ることを特徴とする画像処理装置を提供するものである。
また、本発明は、光学的に撮影された画像から画像表示装置に表示するための第３の画像データを得、得られた第３の画像データに基づいて前記画像表示装置に検定用画像として前記撮影画像を表示するとともに、前記撮影画像から第１の画像データを得、得られた第１の画像データに所定の画像処理を施し、プリント画像としてプリント出力する第２の画像データを得る画像処理装置であって、
前記撮影画像を撮影した撮影レンズの情報を取得する取得手段と、
前記撮影レンズの情報に応じて、前記撮影レンズのレンズ特性を記憶する記憶手段と、
前記取得手段が取得した前記撮影レンズの情報に応じて前記記憶手段から対応する前記撮影レンズのレンズ特性を受け取り、前記プリント画像としてプリント出力するための前記第１の画像データのみならず、前記画像表示装置に表示するための前記第３の画像データにも、前記撮影画像の画素位置情報と得られた前記撮影レンズのレンズ特性とから前記撮影画像の倍率色収差および歪曲収差の少なくとも一つの収差をそれぞれ補正して、前記第３の画像データから、前記画像表示装置に表示するための、前記収差が補正された第４の画像データを得るとともに、前記第１の画像データから、前記プリント画像としてプリント出力するための、前記収差が補正された第５の画像データを得る補正手段とを有し、
前記補正手段によって前記第１の画像データを補正して得られたプリント画像出力用の前記第２の画像データを出力するに先立って、前記第３の画像データに基づく前記補正手段による補正の前の矩形画像と、前記補正手段によって補正された前記第４の画像データに基づいて前記収差が補正された補正画像および非撮影画像、または前記補正画像のみに基づいて設定された前記プリント画像としてプリント出力されるべき矩形の第１のプリント領域を、前記第３の画像データに基づいて前記収差が補正される前に変換して得られた第２のプリント領域とを、同時に、かつ、前記矩形画像および前記第２のプリント領域の少なくとも一方を拡大縮小可能に、前記画像表示装置に表示し、
前記第３の画像データに基づいて前記画像表示装置に表示された、共に前記補正処理が施される前の前記矩形画像および前記第２のプリント領域の少なくとも一方が拡大または縮小されることにより、前記画像表示装置に表示された前記矩形画像のうち、前記補正処理が施された後に前記非撮影画像を含まず、画欠けができるだけ少ない補正画像のみが表示されるように設定される前記第２のプリント領域から、この第２のプリント領域内に存在する画像の前記第３の画像データに前記補正処理をして得られた前記矩形の第１のプリント領域内に存在する前記補正画像のみの前記第４の画像データに対応する前記第５の画像データを、前記第２の画像データとして得ることを特徴とする画像処理装置を提供するものである。
さらに、本発明は、光学的に撮影された第１の画像から画像表示装置に表示するための第３の画像データを得、得られた第３の画像データに基づいて前記画像表示装置に検定用画像として前記第１の画像を表示するとともに、前記撮影画像から第１の画像データを得、得られた第１の画像データに所定の画像処理を施し、プリント画像としてプリント出力する第２の画像データを得る画像処理装置であって、
前記第１の画像を撮影した撮影レンズの情報を取得する取得手段と、
前記撮影レンズの情報に応じて、前記撮影レンズのレンズ特性を記憶する記憶手段と、
前記取得手段が取得した前記撮影レンズの情報に応じて前記記憶手段から対応する前記撮影レンズのレンズ特性を受け取り、前記プリント画像としてプリント出力するための前記第１の画像データのみならず、前記画像表示装置に表示するための前記第３の画像データにも、前記第１の画像の画素位置情報と得られた前記撮影レンズのレンズ特性とから前記第１の画像の倍率色収差および歪曲収差の少なくとも一つの収差をそれぞれ補正して、前記第３の画像データから、前記画像表示装置に表示するための、前記収差が補正された第４の画像データを得るとともに、前記第１の画像データから、前記プリント画像としてプリント出力するための、前記収差が補正された第５の画像データを得る補正手段とを有し、
前記補正手段によって前記第１の画像データを補正して得られたプリント画像出力用の前記第２の画像データを出力するに先立って、前記第３の画像データに基づく前記補正手段による補正の前の第２の画像のうち、前記第４の画像データに基づいて前記補正手段によって前記収差が補正された補正画像および非撮影画像、または前記補正画像のみに基づいて設定された前記プリント画像としてプリント出力されるべき矩形の第１のプリント領域を、前記第３の画像データに基づいて前記収差が補正される前に変換して得られた第２のプリント領域内のみの前記第２の画像を、拡大縮小可能に、前記画像表示装置に表示し、
前記第３の画像データに基づいて前記画像表示装置に表示された前記第２のプリント領域内の前記第２の画像が拡大または縮小されることにより、前記画像表示装置に表示された前記第２のプリント領域内の前記補正処理が施される前の前記第２の画像が、前記補正処理が施された後に前記非撮影画像を含まず、画欠けができるだけ少ない補正画像のみとなるように設定されたときに、前記第２のプリント領域内に存在する画像の前記第３の画像データに前記補正処理をして得られた前記矩形の第１のプリント領域内に存在する前記補正画像のみの前記第４の画像データに対応する前記第５の画像データを、前記第２の画像データとして得ることを特徴とする画像処理装置を提供するものである。
ここで、上記のいずれかの画像処理装置において、前記非撮影画像を含まず、画欠けができるだけ少ない補正画像は、前記非撮影画像を含まない最大の補正画像であるのが好ましい。
【００１４】
また、上記のいずれかの画像処理方法において、前記第２の画像データを得るために前記第１の画像データに施される前記補正処理は、
前記画像を撮影したレンズの特性と、前記画像の位置情報とから、前記倍率色収差および歪曲収差の少なくとも一つを補正した画像位置を算出し、
前記倍率色収差および歪曲収差の少なくとも一つが補正された前記画像位置を用いて電子変倍処理を行うことにより、前記倍率色収差および歪曲収差の少なくとも一つの補正のための補間演算処理と前記電子変倍処理のための補間演算処理とを一回の補間演算処理で行うのものであるが好ましい。
また、上記のいずれかの画像処理装置において、前記補正手段は、前記画像の位置情報と前記レンズ特性とから、前記画像の倍率色収差および歪曲収差の少なくとも一つを補正した画像位置を算出し、前記倍率色収差および歪曲収差の少なくとも一つを補正した画像位置を用いて電子変倍処理を行うことにより、前記倍率色収差および歪曲収差の少なくとも一つの補正のための補間演算処理と前記電子変倍処理のための補間演算処理とを一回の補間演算処理で行うのが好ましい。
【００１５】
【発明の実施の形態】
以下、本発明の画像処理装置について、添付の図面に示される好適実施例を基に詳細に説明する。
【００１６】
図１に、本発明の画像処理装置を利用するデジタルフォトプリンタ１０（以下、フォトプリンタ１０とする。）は、基本的にフィルムＦに撮影された画像を光電的に読み取るスキャナ（画像読取装置）１２と読み取られた画像データ（画像情報）の画像処理やフォトプリンタ１０全体の操作及び制御等を行う画像処理装置１４と、画像処理装置１４から出力された画像データに応じて変調した光ビームで感光材料（印画紙）を画像露光し、現像処理して（仕上り）プリントとして出力するプリンタ１６とを有して構成される。
また、画像処理装置１４には、様々な条件の入力（設定）、処理の選択や指示、色／濃度補正などの指示等を入力するためのキーボード１８ａ及びマウス１８ｂを有する操作系１８と、フィルムＦの撮影画像を検定するために、スキャナ１２で読み取られた画像を表示したり、各種の操作指示、様々な条件の設定／登録画面等を表示する検定用モニタ２０（画像表示装置）が接続される。
【００１７】
スキャナ１２は、フィルムＦ等に撮影された画像を１コマずつ光電的に読み取る装置で、光源２２と可変絞り２４と画像をＲ（赤）、Ｇ（緑）、及びＢ（青）の三原色に分解するためのＲ，Ｇ及びＢの３枚の色フィルタを有し、回転して任意の色フィルタを光路に作用する色フィルタ板２６と、フィルムＦに入射する読取光をフィルムＦの面方向で均一に拡散する拡散ボックス２８と結像レンズユニット３２と、フィルムの１コマの画像を読み取るエリアセンサであるＣＣＤセンサ３４とアンプ（増幅器）３６とを有して構成される。
【００１８】
尚、図示例のフォトプリンタ１０においては、新写真システム（Ａｄｖａｎｃｅｄ  Ｐｈｏｔｏ  Ｓｙｓｔｅｍ）  や１３５サイズのネガ（あるいはリバーサル）フィルム等のフィルムの種類やサイズ、ストリップスやスライド等のフィルムの形態、トリミング等の処理の種類に応じて、スキャナ１２の本体に装着自在な専用キャリアが用意されており、キャリアを交換することにより、各種のフィルムや処理に対応することができる。フィルムに撮影され、プリント作成に供される画像（コマ）は、このキャリアによって所定の読取位置に搬送、保持される。また周知の様に新写真システムのフィルムには磁気記録媒体が形成され、カートリッジＩＤやフィルム種（すなわちレンズ付フィルムでは、その機種）等が記録されており、又、撮影時や現像時に撮影日時、撮影に使用したカメラ、現像機の種類等の各種のデータが記録可能である。新写真システムのフィルム（カートリッジ）に対応するキャリアには、この磁気情報の読取手段が配置されており、フィルムを読取位置に搬送する際に磁気情報を読み取り、前記各種の情報が画像処理装置１４に送られる。
【００１９】
この様なスキャナ１２においては、光源２２から射出され、可変絞り２４によって光量調整され色フィルタ板２６を通過して色調整され、拡散ボックス２８で拡散された読取光が、キャリアによって所定の読取位置に保持されたフィルムＦの１コマに入射して、透過することにより、フィルムＦに撮影されたこのコマの画像を担持する投影光を得る。
フィルムＦの投影光は、結像レンズユニット３２によってＣＣＤセンサ３４の受光面に結像され、ＣＣＤセンサ３４によって光電的に読み取られ、その出力信号がアンプ３６で増幅されて、画像処理装置１４に送られる。ＣＣＤ３４は例えば、１３８０×９２０画素のエリアＣＣＤセンサである。
【００２０】
スキャナ１２においては、この様な画像読取を、色フィルタ板２６の各色フィルタを順次挿入して３回行うことにより、１コマの画像Ｒ，Ｇ及びＢの３原色に分解して読み取る。
ここで、フォトプリンタ１０においては、プリントＰを出力するための画像読み取り（本スキャン）に先立ち、画像処理条件等を決定するために、画像を低解像度で読み取るプレスキャンを行う。従って、１コマで合計６回の画像読み取りが行われる。また、後述する様にプレスキャン画像の替わりに本スキャン画像データを用いて画像処理条件等を決定することも可能であり、その様な場合、１コマで合計３回の画像読み取りのみで行われる。
【００２１】
スキャナ１２はエリアＣＣＤセンサを用い、色フィルタ板２６によって投影光を３原色に分解して画像を読み取っているが、本発明に利用されるスキャナとしては、３原色の個々の読取りに対応する３種のラインＣＣＤセンサを用い、フィルムＦをキャリアで走査搬送しつつ画像を読み取るスリット走査によって画像読み取りを行うものであっても良い。
【００２２】
図示例のフォトプリンタ１０は、ネガやリバーサル等のフィルムに撮影された画像を光電的に読み取るスキャナ１２を画像処理装置１４の画像データの供給源としているが画像処理装置１４に画像データを供給する画像データ供給源としては、スキャナ１２以外にも反射原稿の画像を読み取る画像読取装置、デジタルカメラ、デジタルビデオカメラ、ＬＡＮ（Ｌｏｃａｌ  Ａｒｅａ  Ｎｅｔｗｏｒｋ）やコンピュータ通信ネットワーク等の通信手段、メモリカードやＭＯ（光磁気記録媒体）等のメディア（記録媒体）等の、各種の画像読取手段や撮影手段、画像データの記憶手段等が各種使用可能である。
【００２３】
前述のように、スキャナ１２からの出力信号（画像データ）は、画像処理装置１４に出力される。
図２に画像処理装置（以下、処理装置１４とする）の一実施例であるブロック図を示す。処理装置１４は、データ処理部３８、プレスキャン（フレーム）メモリ４０、本スキャン（フレーム）メモリ４２、プレスキャン画像処理部４４、本スキャン画像処理部４６、および条件設定部４８を有して構成される。
なお、図２は、主に画像処理関連の部位を示すものであり、処理装置１４には、これ以外にも、処理装置１４を含むフォトプリンタ１０全体の制御や管理を行うＣＰＵ、フォトプリンタ１０の作動等に必要な情報を記憶するメモリ、本スキャンの際の可変絞り２４の絞り値やＣＣＤセンサ３４の蓄積時間を決定する手段等が配置され、また、操作系１８や検定用モニタ（画像表示装置）２０は、このＣＰＵ等（ＣＰＵバス）を介して各部位に接続される。
【００２４】
スキャナ１２から出力されたＲ，ＧおよびＢの各出力信号は、Ａ／Ｄ（アナログ／デジタル）変換、Ｌｏｇ変換、ＤＣオフセット補正、暗時補正、シェーディング補正等を行うデータ処理部３８で処理されてデジタルの画像データとされ、プレスキャン（画像）データはプレスキャンメモリ４０に、本スキャン（画像）データは本スキャンメモリ４２に、それぞれ記憶（格納）される。
なお、プレスキャンデータと本スキャンデータは、解像度（画素密度）と信号レベルが異なる以外は、基本的に同じデータである。
【００２５】
プレスキャンメモリ４０に記憶されたプレスキャンデータはプレスキャン画像処理部４４において、本スキャンメモリ４２に記憶された本スキャンデータは本スキャン画像処理部４６において、それぞれ処理される。
プレスキャン画像処理部４４は、画像処理部５０および画像データ変換部５２を有して構成される。他方、本スキャン画像処理部４６は、画像処理部５４および画像データ変換部５８を有して構成される。
【００２６】
プレスキャン画像処理部４４の画像処理部５０（以下、処理部５０とする）と、本スキャン画像処理部４６の画像処理部５４（以下、処理部５４とする）は、共に、後述する条件設定部４８が設定した画像処理条件に応じて、スキャナによって読み取られた画像（画像データ）に所定の画像処理を施す部位である。両者は、処理する画像データの画素密度が異なる以外には、基本的に、同様の処理を行う。
処理部５０および処理部５４における画像処理としては、色バランス調整、コントラスト補正（階調処理）、明るさ補正、覆い焼き処理（濃度ダイナミックレンジの圧縮／伸長）、彩度補正、シャープネス（鮮鋭化）処理等が例示される。これらは、演算、ＬＵＴ（ルックアップテーブル）による処理、マトリクス（ＭＴＸ）演算、フィルタによる処理等を適宜組み合わせた、公知の方法で行われるものであり、図示例においては、色バランス調整、明るさ補正およびコントラスト補正がＬＵＴで行われ、彩度補正がＭＴＸで行われる。また、これ以外のシャープネス処理や覆い焼き処理等は、オペレータによる指示や画像データ等に応じて、ブロック５０Ａおよびブロック５４Ａで行われる。
【００２７】
ここで、本発明の画像処理装置１４の特徴とするところは、プレスキャンデータ及び本スキャンデータを処理する処理部５０および５４のＭＴＸとブロック５０Ａおよび５４Ａとの間には、後述する倍率色収差及び歪曲収差の補正、ならびに、電子変倍処理を行う、収差補正部５１および５６が設けられている点である。本発明に係る処理装置１４においては、必要に応じて、この収差補正部５１および５６において、レンズ特性及び画像の位置情報を用いて画像処理によってフィルムＦに撮影された画像の倍率色収差、及び歪曲収差を補正しており、これにより色ズレや歪のない高画質な画像をプリントエリアとともに、検定用モニタ２０に表示し、表示されたプリントエリア内の高画質な画像が再現されたプリントを安定して出力することを実現している。
【００２８】
レンズ特性データ供給部６０（以下、特性データ供給部６０とする）は、フィルムＦを撮影したカメラを判別する情報を取得し、得られた判別情報に対応する撮影カメラに応じたレンズ特性を収差補正部５１および５６に供給する部位である。
【００２９】
カメラ（すなわち撮影レンズ）を判別する判別情報、およびその取得手段には特に限定はなく、各種の方法が利用可能である。
例えば、フィルムＦが前述の新写真システムのレンズ付きフィルムである場合には、フィルムＦに記録された磁気情報をスキャナ１２のキャリアで読み取り、磁気記録されたカートリッジＩＤおよび／またはフィルム種からレンズ付きフィルムの機種すなわちカメラを判別することができる。また、新写真システムに対応するカメラには、フィルムＦにカメラの機種を磁気記録する機能を有する物もあるので、これを利用してフィルムＦを撮影したカメラを判別してもよい。
また、レンズ付きフィルムであれば受け付け時に機種を記録しておき、あるいは通常のフィルムであれば受け付け時に撮影カメラの機種を顧客から聞いて記録しておき、プリント作成時にオペレータがキーボード１８ａでカメラの機種を入力してもよく、カメラの機種に代えてファンクションキー等とカメラとの対応を決定しておき、これを用いて入力してもよい。
さらに、撮影時にフィルムにカメラの機種を光学的に焼き付け、これを読み取ってカメラの機種を判別してもよく、レンズ付きフィルムであれば、レンズ付きフィルムの機種をＤＸコード等のように光学的に焼付けておき、このコードから機種を判別してもよい。
【００３０】
特性データ供給部６０はメモリを有し、このメモリには、各種のカメラの機種に応じたレンズ特性の情報、具体的には、各種のレンズの倍率色収差および歪曲収差の特性の情報が記憶されている。
特性データ供給部６０は、取得したカメラの判別情報から、それに応じたレンズ特性の情報をメモリから読み出し、これを収差補正部５１及び５６に供給する。なお、レンズ特性は特性データ供給部６０が有するメモリに記憶されるのに限定はされず、例えば、プリンタ１０に接続されるデータベースに記憶しておき、此所にアクセスして読み出してもよく、あるいは、フィルムＦの読み取り時にフィルムに対応するレンズの情報として外部から入力されてもよい。
【００３１】
レンズ特性としては、特に限定はないが、一般的に、レンズの倍率色収差の特性や歪曲収差の特性は、レンズの光軸すなわちフィルムＦに撮影された画像の中心からの距離（例えば、ｘ−ｙで示される）をパラメータとする３次関数である程度まで近似することができるので、倍率色収差や歪曲収差の補正が必要な各種のカメラに対応して、それに応じた倍率色収差の特性を示す関数および歪曲収差の特性を示す関数を、レンズ特性として記憶しておけばよい。
【００３２】
収差補正部５１および５６は、特性データ供給部６０から供給されたフィルムＦの撮影レンズ特性と、画像データ（画素）の位置の情報、例えば、画像の中心からの座標位置（中心の画素から何画素目か）とを用いて、倍率色収差および歪曲収差の補正、ならびに電子変倍処理を行う。
なお、この場合の座標は、ｘ−ｙ座標でも極座標でもよい。また、画像データの位置の情報は画像の中心を基準とするのに限定はされず、各種のものが利用可能であり、例えば、画像の角部（左上角等）や、ある画素（例えば画素番号１番の画素）等を基準としてもよく、さらに画像の外部、例えばフィルムＦのパーフォレーション等を基準としてもよい。すなわち、本発明では画像（画素）の位置が相対的に検出できれば、各種の位置情報が利用可能である。
【００３３】
ここで、レンズ特性と画像の位置情報（以下、画素位置とする）とを用いた倍率色収差および歪曲収差の補正を別々に行うと、演算に時間がかかり、また、補間演算も複数回行う必要が生じるため、画質が劣化するという問題がある。
そのため、本発明においては、好ましくは、Ｒ、ＧおよびＢの３原色の基準となる色、通常はＧを基準として、ＲおよびＢの像倍率を変換して、ＲおよびＢの画像をＧ画像に合わせることで倍率色収差を補正し、その後、歪曲収差を補正する。これにより、各画素の適正位置を算出し、これを用いて、各画素の画像データを補間演算することによって、フィルムに撮影された画像の倍率色収差および歪曲収差を補正した画像データを得ることができる。
従って、歪曲収差についてはＧ画像に対する演算のみを行えばよいので、演算量や補間演算を減らして、より好適な倍率色収差および歪曲収差の補正を行うことができる。
【００３４】
また、画像処理装置では、通常、画像データ処理による画像の拡大もしくは縮小、すなわち、画像の電子変倍を行って、画像（画像データ）を出力画像に応じたサイズにして出力する。この電子変倍処理は、通常、画像データを補間演算することにより行われる。
ところが、前記倍率色収差および歪曲収差の補正でも補間演算が行われているため、結果的に、２回の補間が行われる結果となり、画質が劣化してしまう場合もある。
【００３５】
そのため、本発明においては、より好ましくは、前記レンズ特性と画像データの画素位置とを用いて、倍率色収差に起因する基準色（Ｇ）に対するＲおよびＢの画素位置のずれ量と、歪曲収差に起因する基準色の画素位置のずれ量とから、各画素毎の適正位置を算出し、算出された各画素の適正位置の情報を用いて、画像データを補間して画像の電子変倍処理を行う。言い換えれば、倍率色収差および歪曲収差による画素位置のずれ量を算出することにより、各画素が本来どの位置にあるべきであるかを知見し、この適正な位置に応じて画像データの補間演算を行って電子変倍処理を行う。
これにより、１回の補間演算で、倍率色収差および歪曲収差の補正と、電子変倍処理を行うことができる。
【００３６】
図示例の収差補正部５１および５６は、上記方法を用いて、倍率色収差および歪曲収差の補正と、電子変倍処理とを行う部位であり、図３の概念図に示されるように、座標変換処理部５１Ａおよび５６Ａと、拡大縮小処理部５１Ｂおよび５６Ｂとを有して構成される。
なお、図３において、ｉｒ，ｉｇおよびｉｂは、それぞれＭＴＸから供給された画像データ（入力画像データ）の画素位置（アドレス）を；
Ｉｒ，ＩｇおよびＩｂは、倍率色収差および歪曲収差を補正された画像データの画素位置を；
ΔｒおよびΔｂは、それぞれ倍率色収差によるＧの画素位置に対するＲおよびＢの画素位置のずれ量（すなわち補正量）を；
Ｄは、歪曲収差によるＧの画素位置のずれ量を；    それぞれ示す。
【００３７】
収差補正部５１及び５６においては、ＭＴＸから画像データが供給されると、座標変換処理部５１Ａ及び５６Ａにおいて、特性データ供給部６０から供給されたレンズ特性を用いて、ＲおよびＢの画像データの各画素位置ｉｒおよびｉｂにおける、Ｇの画像データｉｇに対する倍率色収差によるずれ量ΔｒおよびΔｂを算出し、さらに、Ｇの入力画像データｉｇの歪曲収差によるずれ量Ｄを算出する。
【００３８】
次いで、図３に示されるように、Ｒの入力画像データの各画素位置ｉｒに前記ΔｒとＤを加えて、倍率色収差および歪曲収差を補正されたＲの画像データの画素位置Ｉｒを算出し、Ｂの入力画像データの各画素位置ｉｂに前記ΔｂとＤを加えて、倍率色収差および歪曲収差を補正されたＢの画像データの画素位置Ｉｂを算出し、Ｇの入力画像データの各画素位置ｉｇに前記Ｄを加えて、歪曲収差を補正されたＧの画像データの画素位置Ｉｇを算出する。
すなわち、この計算では、Ｇ画像を基準として、Ｒ画像およびＢ画像の倍率色収差を補正して、全画像をＧ画像に位置合わせして、Ｇ画像の歪曲収差によるずれ量Ｄを用いて、全体の歪曲収差を補正して、Ｒ，ＧおよびＢの各画像の倍率色収差および歪曲収差を補正された画素位置を算出している。
【００３９】
次いで、拡大縮小処理部５１Ｂ及び５６Ｂにおいて、この倍率色収差および歪曲収差を補正された画素位置Ｉｒ，ＩｇおよびＩｂを用いて、拡大／縮小倍率に応じた画像データの補間処理（Ｎ倍補間）を行うことにより画像の変倍を行い、倍率色収差および歪曲収差を補正され、かつ電子変倍処理を行われた画像データとして、ブロック５０Ａ及び５４Ａに出力する。
電子変倍処理の方法には特に限定はなく、公知の方法が各種利用可能であり、例えば、バイリニア補間を用いる方法、スプライン補間を用いる方法等が例示される。
【００４０】
なお、特性データ供給部６０がカメラの判別情報を取得しなかった場合、および特性データ供給部６０が取得したカメラの判別情報に対応するレンズ特性が無かった場合、さらに、倍率色収差および歪曲収差補正のキャンセルが指示された場合には、収差補正部５６は、拡大縮小処理部５１Ｂ及び５６Ｂにおける電子変倍処理のみを行って画像データをブロック５０Ａ及び５４Ａに供給する。
【００４１】
なお、図示例の装置においては、好ましい態様として、収差補正部５１及び５６において歪曲収差および倍率色収差の両者を補正しているが、本発明はこれに限定はされず、レンズ特性として倍率色収差もしくは歪曲収差のいずれか一方の特性のみを記憶しておき、これと画素位置とを用いて、いずれか一方の収差のみを補正してもよい。
この場合は、例えば、倍率色収差もしくは歪曲収差に起因するズレ量を補正して適正位置を算出し、これを用いて対応する収差を補正した後に、公知の方法で電子変倍処理を行ってもよいが、好ましくは、前述の方法と同様に、倍率色収差もしくは歪曲収差に起因するズレ量を補正した適正位置を算出し、この適正位置の情報を用いて画像データの補間を行って電子変倍処理を行い、収差の補正と電子変倍とを行うのが好ましい。これにより、同様に、補間演算を減らし、補間に起因する画質の劣化を低減することができる。
さらに、歪曲収差または倍率色収差の少なくとも１方のみならず、レンズに起因する周辺光量低下やピントボケ（ＰＳＦ：Ｐｏｉｎｔ  Ｓｐｒｅａｄ  Ｆｕｎｃｔｉｏｎ）等の情報も記憶しておき、歪曲収差または倍率色収差の少なくとも１方の補正に加え、周辺光量低下やピントボケも補正するようにしてもよい。
【００４２】
なお、本発明において、プレスキャン画像処理部４４に、本スキャン画像処理部４６の収差補正部５６と同じ収差補正部５１を設けているのは、収差補正を行う場合、収差補正の結果を検定用モニタ２０に表示された画像によって確認あるいは検定するためであり、収差補正画像とともにプリントエリア（プリントとして出力される読み取り画像の領域）を表示できる場合、もしくはプリントエリアと一致する収差補正画像のみを表示できる場合には、収差補正画像に生じるケラレの範囲を明確にし、表示プリントエリアを拡縮して、もしくは表示された収差補正画像を拡縮して、ケラレが最小もしくは適切で、非撮影画像領域等が再現されることのないプリントエリアを持つプリント画像を出力することができるようにするためである。
【００４３】
ここで、倍率色収差や歪曲収差の補正を行うことにより、補正後には、色ずれや歪のない画像を得ることができるが、図４（ａ）〜（ｄ）に示す様に、収差補正によって画像のサイズが変化してしまう。そこで、本発明においては、図４（ａ）〜（ｄ）に示す様に、収差補正後のプレスキャン画像をモニタ２０に表示することにより、モニタ表示画像によって収差補正の結果およびプリント画像の領域（プリントエリア）をユーザが確認し、検定することができる。
図４（ａ）は、収差補正前の倍率色収差や歪曲収差のあるモニタ表示画像２０ａを示す。
図４（ａ）に示すように、スキャナ１２から出力されるフィルムＦに撮影された画像の画像データは、画像読取のマスクサイズや出力画像に対応する画像の切り出しに応じた矩形画像の画像として表わされる。
【００４４】
なお、ここでは、プリントエリア２０ｂとモニタ２０の表示画面２０ｃが一致し、図４（ａ）〜（ｄ）の外側の矩形がモニタ２０の表示画面２０ｃを表わすものとして説明するが、本発明はこれに限定されず、図４（ａ）〜（ｄ）の外側の矩形がモニタ２０の表示画面中のプリントエリアと一致する画像表示領域であってもよい。
これに対し、プレスキャンデータの座標変換処理部５１Ａで倍率色収差および歪曲収差を補正した全画像データは、図４（ｂ）に示す様に倍率色収差および歪曲収差の程度に応じて変形し、図中の斜線領域が画像の無い状態の画像として表わされる。例えば、図４（ａ）に示す補正前の画像が糸巻型の歪曲収差を持つものであれば、図４（ｂ）に示す様に、補正後の画像２０ａは、ＸＹの両方向において、矩形の対向辺の中央部が、両端部より中心に向かってより大きく収縮し、モニタ表示画面２０ｃの斜線で示される撮影画像が再現されない領域が出現する。逆に、図４（ａ）に示す補正前の画像が樽型の歪曲収差を持つものである場合には、図示しないが、補正後の画像は、ＸＹの両方向において、矩形の対向辺の中央部が、両端部より外側に向かってより大きく拡大し、撮影された撮影画像のうち、モニタ表示画面２０ｃで表示されない領域が出現する。
【００４５】
一方、プリンタ１６では、フィルムＦに撮影された画像を可能な限りプリントに過不足無く再生するのが好ましい。このため、より高品位なプリントを目的とするフォトプリンタでは、スキャナ１２で読み取った入力画像のサイズと出力画像のサイズとに応じて、適正な電子変倍率を定め、この電子変倍率に応じて補間または間引きを行って入力画像を拡縮し、出力プリント画像として出力している。
このようなフォトプリンタでは、出力プリント画像のサイズに応じて同じプリントエリア２０ｂを持つ低解像度の画像をモニタ２０に表示しているが、本発明においては上述したように、非撮影画像領域（図中斜線領域）を含んだ画像２０ｃや表示されない領域が発生した画像を表示できるが、プリントエリア２０ｂ内に撮影入力画像の過不足があるため、そのままプリント画像として出力することができない。したがって、収差補正によって生じる入力画像（モニタ表示画像）の変形を考慮して調整して、入力画像を拡縮して、例えば、図４（ｃ）に示す内側の矩形の画像領域２０ｂの画像を拡大して、予め設定されたプリントサイズの出力画像として出力する必要が生じる。
【００４６】
このために、モニタ表示画像２０ａと出力プリント画像のプリントエリア２０ｂが一致しない不都合が生じるし、収差補正による入力矩形画像（モニタ表示画像）の変形に応じて、過不足のない最大の入力矩形画像が出力できるように、例えば、図４（ｃ）に示すように、入力矩形画像の変形にぴったり内接する内側の矩形領域２０ｂが出力プリントエリアとなるように、電子変倍率を決定するのは容易ではない。このため、出力されたプリント画像が非撮影領域を含んだりするおそれがある。したがって、本発明においては、図４（ｃ）に示すようにモニタ２０に収差補正後の変形した画像２０ａとともに、ユーザが拡縮可能なプリントエリア２０ｂを表示し、ユーザがプリントエリア２０ｂをキーボードやマウスなどの操作系１８によって拡縮して、変形した表示画像領域２０ａから最大の画像が再現できるようにプリントエリア２０ｂを設定するように構成している。また、本発明においては、拡縮自在なプリントエリア表示の代わりに、図４（ｄ）に示すように、モニタ２０に表示された画像２０ａ自体を拡縮して、モニタ２０の表示画面２０ｃに表示された画像を出力プリント画像と一致させるように、すなわちプリントエリア２０ｂと表示画面２０ｃとを一致させるように構成してもよい。
【００４７】
以上のように構成することにより、本発明においては、収差補正後のプリントエリアをモニタ２０の表示画面２０ｃにおいて確認し、また検定することができる。
尚、歪曲収差の補正をした画像のうち、プリント出力する矩形エリア内の画像をモニタ２０に表示する代わりに、補正処理前の画像のうち、プリント出力するプリントエリアの範囲をモニタ２０に表示してもよい。この場合、モニタ２０に表示される画像は、補正前の画像のため、矩形画像でなくなる場合がある。
また、補正処理前の矩形画像全体をモニタ２０に表示し、そのうち、矩形でないプリント出力されるエリアを表示してもよい。いずれにしても、プリント出力される前に、プリント出力される範囲をあらかじめ知って、確認することができる。
また、本実施例においては、モニタ２０に表示する画像は、プリント出力される画像に施す補正処理と全く同じ処理を施しているが、必ずしも全く同一である必要はなく、同じ、もしくは、それに相当する処理であってもかまわない。
【００４８】
処理部５０および５４で処理された画像データは、画像データ変換部５２および５８に送られる。
プレスキャン画像処理部４４の画像データ変換部５２は、処理部５０によって処理された画像データを、３Ｄ（三次元）−ＬＵＴ等を用いて変換して、モニタ２０による表示に対応する画像データにする。他方、本スキャン画像処理部４６の画像データ変換部５８は、同様に、処理部５４によって処理された画像データを３Ｄ−ＬＵＴを用いて変換し、プリンタ１６による画像記録に対応する画像データとしてプリンタ１６に供給する部位である。
【００４９】
プレスキャン画像処理部４４および本スキャン画像処理部４６による各種の処理条件は、条件設定部４８によって設定される。
この条件設定部４８は、画像処理条件設定部７２、キー補正部７４およびパラメータ統合部７６を有して構成される。
【００５０】
画像処理条件設定部７２（以下、設定部７２とする）は、施す画像処理を選択すると共に、プレスキャンデータを用いて、処理部５０および５４における画像処理条件を設定し、パラメータ統合部７６に供給する。
具体的には、設定部７２は、プレスキャンデータから、濃度ヒストグラムの作成や、平均濃度、ＬＡＴＤ（大面積透過濃度）、ハイライト（最低濃度）、シャドー（最高濃度）等の画像特徴量の算出等を行い、加えて、必要に応じて行われる操作系１８を用いたオペレータによる指示に応じて、前述のグレイバランス調整、明るさ補正、およびコントラスト補正のテーブル（ＬＵＴ）の作成、彩度補正を行うマトリクス演算の作成等の画像処理条件を決定する。
【００５１】
キー補正部７４は、キーボード１８ａに設定された明るさ、色、コントラスト、シャープネス、彩度調等を調整するキーやマウス１８ｂで入力された各種の指示等に応じて、画像処理条件の調整量（例えば、ＬＵＴの補正量等）を算出し、パラメータ統合部７６に供給するものである。
パラメータ統合部７６は、設定部７２が設定した画像処理条件を受け取り、供給された画像処理条件をプレスキャン画像処理部４４の処理部５０および本スキャン画像処理部４６の処理部５４に設定し、さらに、キー補正部７４で算出された調整量に応じて、各部位に設定した画像処理条件を補正（調整）し、あるいは画像処理条件を再設定する。
【００５２】
以下、図２に示された処理装置１４の作用を説明する。
前述のように、プレスキャンメモリ４０にプレスキャンデータが記憶されると、設定部７２がこれを読み出し、濃度ヒストグラムの作成や画像特徴量の算出等を行い、これを用いて、画像処理条件を設定（ＬＵＴやＭＴＸの作成）してパラメータ統合部７６に送る。
これと平行して、可変絞り２４の絞り値決定等の本スキャンの読取条件が設定されてスキャナ１２が調整され、次いで、スキャナ１２では本スキャンが行われ、本スキャンデータが、順次、本スキャンメモリ４２に転送・記憶される。
【００５３】
また、処理装置１４には、キーボード１８ａやマウス１８ｂによって入力された各種の指示や情報、スキャナ１２（キャリア）で読み取られたフィルムＦの磁気情報が送られており、前述のようにしてカメラの判別情報が入力された場合には、これが特性データ供給部６０に送られる。
画像処理条件を受け取ったパラメータ統合部７６は、これを、プレスキャン画像処理部４４の処理部５０、および本スキャン画像処理部４６の処理部５４の所定部位（ハードウエア）に設定する。
次いで、プレスキャンメモリ４０からプレスキャンデータが読み出され、処理部５０に送られる。
【００５４】
処理部５０において、画像データは、ＬＵＴおよびＭＴＸで処理された後、収差補正部５１に送られる。一方、特性データ供給部６０は、取得したカメラの判別情報から、対応するレンズ特性を読み出し、これを収差補正部５１に送る。
収差補正部５１は、レンズ特性と画像データの画素位置とから、前述のようにして、座標変換処理部５１Ａにおいて、倍率色収差および歪曲収差を補正した画素位置Ｉｒ，ＩｇおよびＩｂを算出して、これを拡大縮小処理部５１Ｂに送り、拡大縮小処理部５１Ｂでは、この画素位置Ｉｒ，ＩｇおよびＩｂを用いて、拡大／縮小率に応じた画像データのＮ倍補間を行って画像の電子変倍を行い、倍率色収差および歪曲収差の補正、ならびに電子変倍処理を施された画像データとしてブロック５０Ａに出力する。
なお、座標変換処理部５１Ａでの画素位置Ｉｒ，ＩｇおよびＩｂの算出は、画像データの供給に先立ち、特性データ供給部６０からレンズ特性の情報を受けた時点で行ってもよい。
【００５５】
画像データは、さらに、ブロック５０Ａにおいてシャープネス処理や覆い焼き処理等の必要な画像処理を施され、画像データ変換部５２に送られ、画像データ変換部５２において検定用モニタ２０に表示する画像データに変換され、検定用モニタ２０に送られる。
オペレータは、検定用モニタ２０の表示を見て、倍率色収差や歪曲収差の補正や他の種々の処理が行われた画像すなわち処理結果の確認（検定）を行い、必要に応じて、キーボード１８ａに設定された前記各キー等を用いて色／濃度、階調等を調整するとともに、プリントエリア２０ｂを非撮影画像がなくケラレが適正となるように拡縮して設定する。
この調整の入力は、キー補正部７４に送られ、キー補正部７４は調整入力に応じた画像処理条件の補正量を算出し、これをパラメータ統合部７６に送る。パラメータ統合部７６は、送られた補正量に応じて、前述のように、処理部５０および処理部５４のＬＵＴやＭＴＸを補正し、この補正すなわちオペレータによる調整入力に応じて、検定用モニタ２０に表示される画像も変化する。
【００５６】
オペレータは、検定用モニタ２０に表示される画像が適正である判定（検定ＯＫ）をすると、キーボード１８ａ等を用いてプリント開始を指示する。これにより、画像処理条件が確定し、本スキャンメモリ４２から本スキャンデータが読み出され、本スキャン画像処理部４６の処理部５４に送られる。
処理部５４においては、プレスキャンデータと同様に、本スキャンデータは所定の処理条件で処理され、上述の倍率色収差及び歪曲収差を補正し、拡大縮小処理を行った後、画像処理部５４Ａに送られる。
【００５７】
画像データは、さらに、ブロック５４Ａにおいてシャープネス処理や覆い焼き処理等の必要な画像処理を施され、画像データ変換部５８に送られ、画像データ変換部５８においてプリンタ１６による画像記録に応じた画像データに変換され、プリンタ１６に送られる。
なお、検定を行わない場合には、パラメータ統合部７６による本スキャン画像処理部４６の処理部５４への画像処理条件の設定を終了した時点で画像処理条件が確定し、自動的に本スキャンデータの処理を行って、プリンタ１６に送る。
これらは、作業モード等で選択できるようにするのが好ましい。
【００５８】
ここにおいて、処理装置１４で処理された画像データは、プリンタ１６に送られる。
プリンタ１６は、感光材料（印画紙）を画像データに応じて露光して潜像を記録し、感光材料に応じた現像処理を施して（仕上り）プリントとして出力するものである。例えば、感光材料をプリントに応じた所定長に切断した後に、バックプリントの記録、感光材料（印画紙）の分光感度特性に応じた、赤（Ｒ）露光、緑（Ｇ）露光および青（Ｂ）露光の３種の光ビームを画像データ（記録画像）に応じて変調すると共に、主走査方向に偏向し、主走査方向と直交する副走査方向に感光材料を搬送することによる潜像の記録等を行い、潜像を記録した感光材料に、発色現像、漂白定着、水洗等の所定の湿式現像処理を行い、乾燥してプリントとした後に、仕分けして集積する。
【００５９】
図２に示す画像処理装置１４においては、モニタ２０に倍率色収差や歪曲収差の補正や他の画像処理を行った画像を表示するために用いる画像データとして、スキャナ１２による撮影画像のプレスキャンを行って得られるプレスキャン画像データを用いるものであったが、本発明は、これに限定されず、図５に示す画像処理装置Ｂ１５のように、プレスキャン画像データを用いずに、ファインスキャン画像データ（本スキャン画像データ）のみを用いて、倍率色収差や歪曲収差の補正やその他の画像処理を行った後に、補正画像データを間引き・縮小用データ処理部５９で間引いて画像サイズを縮小し、モニタ２０に表示し、表示画面２０ｃで表示画像２０ａを確認し、検定した後に、間引き処理する前の補正画像データをそのままもしくは補正した後、プリンタ１６に出力するものであってもよい。
なお、図５に示す画像処理装置Ｂ１５は、図２に示す画像処理装置１４と比較して、プレスキャンメモリ４０およびプレスキャン画像処理部４４の画像処理部５０を有しておらず、本スキャン画像処理部４６の画像処理部５４のブロック５４Ａの出力が、プリント用画像データ変換部５８のみならず間引き・縮小処理部５９を介してモニタ用画像データ変換部５２にも接続されている点を除いて、同一であるので、同一の構成要素には同一の参照符号を付し、その詳細な説明は省略する。
【００６０】
図５に示す画像処理装置Ｂ１５の間引き・縮小処理部５９は、本スキャン画像処理部４６の画像処理ユニット５４のブロック５４Ａとモニタ用画像データ変換部５２との間に設けられ、ブロック５４Ａから出力される、画像処理および倍率色収差や歪曲収差などの収差補正の処理が行われた高解像度のファインスキャン画像データをモニタ２０の画像サイズおよび画素密度に合うように間引き処理もしくは縮小処理してモニタ表示用低解像度画像データに変換するためのものである。
【００６１】
図５に示す画像処理装置Ｂ１５においては、図２に示す画像処理装置１４と同様に、まずスキャナ１２で読み取られた高解像度ファインスキャン画像データは、データ処理部３８で種々のデータ処理を行った後、本スキャン用メモリ４２に格納される。ついで、条件設定部４８の設定部７２によってこの画像データがフレームメモリ４２から読み出され、画像処理条件が設定され、操作部１８からのキー入力による指示や情報とともにパラメータ統合部７６に送られる。さらに、パラメータ統合部７６から本スキャン処理部４６の画像処理部５４に送られる。一方、スキャナにて読み取られたカメラやレンズに関する磁気情報や操作系１８からのキー入力によるカメラやレンズに関する情報やレンズ特性などが、特性データ供給部６０に送られる。特性データ供給部６０はカメラやレンズ情報からレンズ特性を読み出して、収差補正部５６に送る。
【００６２】
次に、フレームメモリ４２に格納されている画像データが読み出されて、処理ユニット５４に送られ、パラメータ統合部７６から送られた画像処理条件（設定されたＬＵＴやＭＴＸ）に送って所定の画像処理が施された後、収差補正部５６へ入力される。収差補正部５６では、特性データ供給部６０からレンズ特性が送られているので、レンズ特性および画像データの画素情報（たとえば、画像の中心からの距離など）から、画像データについて倍率色収差や歪曲収差が補正されるとともに、補正された画像が所定のプリントサイズで出力されるように、電子変倍率が調整された電子変倍処理が行われ、適正なプリントサイズの収差補正を行った画像データが生成され、ブロック５４Ａに出力される。
【００６３】
適正なプリントサイズの収差補正済みの画像データは、高解像度画像データであるので、ブロック５４Ａから間引き・縮小処理部５９へ送られ、間引きや縮小の処理がおこなわれ、モニタ表示に合う画像サイズおよび画素密度を持つ低解像度画像データにされた後、画像データ変換部５２に出力される。画像データ変換部では、この収差補正済み低解像度画像データをモニタ表示用画像データに変換し、モニタ２０に出力する。モニタ２０では、入力されるモニタ表示用画像データに基づいて収差補正済み再生画像を表示するとともに、プリントエリアをも表示する。
【００６４】
モニタ２０に表示された補正画像に対して、プリントエリアが適正でない場合には、操作系１８によってプリントエリアを拡縮して、過不足のない補正済み画像領域にプリントエリアを設定するとともに、このプリントエリアの拡縮情報は、条件設定部４８または特性データ統合部６０へ送られ、処理部５４の収差補正部５６へ送られ、収差補正部５６の拡大縮小処理部５６Ｂにおいて電子変倍率が調整され、再度過不足のない適正なプリントサイズの収差補正データが生成され、上述と同様にしてモニタ２０に表示される。
モニタ表示画像が適正なサイズであることが確認され、検定されると、生成されている補正済み画像データは、ブロック５４Ａに出力される。ブロック５４Ａはこれらの補正された画像データをプリント用画像データ変換部５８に送り、プリント用画像データに変換して、プリント１６に出力される。
図５に示す画像処理装置Ｂ１５は基本的に以上のように構成される。
【００６５】
また、図２および図５に示す画像処理装置１４および１５においては、モニタに表示する画像データには、プリント出力用画像データと同様に、倍率色収差や歪曲収差の補正とともに、その他の画像処理をも同様に施しているが、本発明はこれに限定されず、図６に示すように、スキャナで読み取られたプリント用高解像度ファインスキャンデータに対し、倍率色収差や歪曲収差の補正を行った後に、他の画像処理やセットアップを行うように画像処理装置を構成するとともに、モニタ用画像データとしてプレスキャン画像データを用いる場合、またファインスキャン画像データを用いる場合でも、モニタ用画像データには、収差補正のみを行い、その他の画像処理やセットアップ等を施さずにそのままモニタに表示するように画像処理装置を構成してもよい。
【００６６】
以上、本発明の画像処理方法および画像処理装置について詳細に説明したが、本発明は上記実施例に限定はされず、本発明の要旨を逸脱しない範囲において、各種の改良および変更を行ってもよいのはもちろんである。
【００６７】
【発明の効果】
以上、詳細に説明したように、本発明によれば、レンズ付きフィルムや安価なコンパクトカメラ等で撮影された画像であっても、画像処理によって撮影画像の倍率色収差や歪曲収差を補正することができるので、色ずれや歪のない高画質な画像を画像表示装置に表示することができ、オペレータは表示された画像に基いて検定し、安定したプリント画像を出力することができる。
また、本発明においては、画像表示装置に色ずれや歪のない補正済み画像とともにプリントエリアを表示するものでは、収差補正による非撮影画像やケラレの範囲を明確にすることができ、出力プリント画像として出力される画像領域をユーザが目視によって簡単かつ確実に確認し、検定することができるので、撮影画像に過不足のない適正なプリントサイズのプリント画像を安定して出力することができる。
【図面の簡単な説明】
【図１】本発明の画像処理装置を利用するデジタルフォトプリンタの一例のブロック図である。
【図２】図１に示されるデジタルフォトプリンタの画像処理装置の一例のブロック図である。
【図３】図２及び図５に示される画像処理装置の収差補正部の概念図である。
【図４】モニタに表示される画像を示した概念図である。
（ａ）は、収差補正前の表示される画像の概念図を、
（ｂ）は、歪曲収差補正後の表示される画像の概念図を、
（ｃ）は、本発明により画像表示される画像の概念図を、
（ｄ）は、本発明により画像表示されるその他の画像の概念図を示している。
【図５】図１に示されるデジタルフォトプリンタの画像処理装置の一例であって、図２と異なるもののブロック図である。
【図６】本発明の画像処理装置がモニタ，プリントに出力する際の概念図である。
【図７】従来技術の画像処理装置がモニタ，プリントに出力する際の概念図である。
【符号の説明】
１０    （デジタル）フォトプリンタ
１２    スキャナ
１４    （画像）処理装置
１５    （画像）処理装置Ｂ
１６    プリンタ
１８    操作系
１８ａ    キーボード
１８ｂ    マウス
２０    検定用モニタ
２２    光源
２４    可変絞り
２６    色フィルタ板
２８    拡散ボックス
３２    結像レンズユニット
３４    ＣＣＤセンサ
３６    アンプ
３８    データ処理部
４０    プレスキャン（フレーム）メモリ
４２    本スキャン（フレーム）メモリ
４４    プレスキャン画像処理部
４６    本スキャン画像処理部
４８    条件設定部
５０，５４    （画像）処理部
５１    プレスキャン収差補正部
５１Ａ    プレスキャン用座標変換処理部
５１Ｂ    プレスキャン用拡大縮小処理部
５２，５８    画像データ変換部
５６    収差補正部
５６Ａ    座標変換処理部
５６Ｂ    拡大縮小処理部
５９    間引き、縮小用データ処理部
６０    （レンズ）特性データ供給部
７２    （画像処理条件）設定部
７４    キー補正部
７６    パラメータ統合部
【図１】
0003625370.tif 000002
【図２】
0003625370.tif 000003
【図３】
0003625370.tif 000004
【図４】
0003625370.tif 000005
【図５】
0003625370.tif 000006
【図６】
0003625370.tif 000007
【図７】
0003625370.tif 000008